(57)【要約】【課題】軽量気泡コンクリートから形成しつつ、その耐久性を向上させることができるコーナーパネルおよびそのコーナーパネルを作製するためのコーナーパネルユニット、ならびに、それらの製造方法を提供すること。【解決手段】  コーナーパネル１は、複数（３つ）のコーナーパネルユニット２が縦方向に連結されることにより形成される。また、各コーナーパネルユニット２は、２つの平板パネル４を接合することによって形成される。そのため、地震が発生した際等、コーナーパネル１に応力がかかる場合には、その応力をコーナーパネルユニット２とコーナーパネルユニット２との連結部分、および、２つの平板パネル４の接合部分によって分散させることができる。その結果、コーナーパネル１を軽量気泡コンクリートから形成しつつ、発生する応力がコーナーパネル１の一部に集中することを抑制でき、その耐久性を向上できる。【選択図】図１
2016023442.tif 000002
【特許請求の範囲】
【請求項１】
複数のコーナーパネルユニットからなるコーナーパネルであって、
各前記コーナーパネルユニットは、２つの平板パネルを備え、
各前記平板パネルは、軽量気泡コンクリートから、一方向に長い略矩形状に形成されており、
各前記コーナーパネルユニットでは、一方の前記平板パネルと他方の前記平板パネルとが、それらの前記一方向と直交する直交方向の側端面が接合されることにより、角度をなすように配置されており、
複数の前記コーナーパネルユニットが、前記一方向に連結されてなる
ことを特徴とする、コーナーパネル。
【請求項２】
各前記平板パネルは、前記一方向の長さが、５９０ｍｍ〜６１０ｍｍであることを特徴とする、請求項１に記載のコーナーパネル。
【請求項３】
各前記平板パネルは、前記一方向の端部および前記一方向と反対側の端部において、目地止材を充填するための段差部を備えており、
前記一方向において互いに隣接する各前記コーナーパネルユニットは、一方の前記コーナーパネルユニットの前記段差部と、他方の前記コーナーパネルユニットの前記段差部とに跨って、目地止材が充填されることにより連結される
ことを特徴とする、請求項１または２に記載のコーナーパネル。
【請求項４】
請求項１ないし３のいずれか一項に記載のコーナーパネルを作製するためのコーナーパネルユニットであって、
２つの平板パネルを備え、
各前記平板パネルは、軽量気泡コンクリートから、一方向に長い略矩形状に形成されており、
一方の前記平板パネルと他方の前記平板パネルとが、それらの前記一方向と直交する直交方向の側端面が接合されることにより、角度をなすように配置されており、
各前記平板パネルは、前記一方向の長さが５９０ｍｍ〜６１０ｍｍであることを特徴とする、コーナーパネルユニット。
【請求項５】
建築現場から、余剰となった５９０ｍｍ〜６１０ｍｍの長さを有する軽量気泡コンクリートパネルを回収する工程と、
前記軽量気泡コンクリートパネルを、縦方向の長さ５９０ｍｍ〜６１０ｍｍ、横方向の長さ９０ｍｍ〜１５０ｍｍに切出して、平板パネルを作製する工程と、
作製した前記平板パネルを２つ用意する工程と、
一方の前記平板パネルと他方の前記平板パネルとを、角度をなすように、それらの横方向の側端面を接合してコーナーパネルユニットを作製する工程と、を含む
ことを特徴とする、コーナーパネルユニットの製造方法。
【請求項６】
請求項５に記載のコーナーパネルユニットの製造方法により製造されたコーナーパネルユニットを、２つ以上用意する工程と、
２つ以上の前記コーナーパネルユニットを、前記縦方向に連結する工程と、を含む
ことを特徴とする、コーナーパネルの製造方法。
【発明の詳細な説明】
【技術分野】
【０００１】
本発明は、コーナーパネル、詳しくは、建築物の外装材として用いられるコーナーパネルおよびそのコーナーパネルを作製するためのコーナーパネルユニット、ならびに、それらの製造方法に関する。
【背景技術】
【０００２】
従来から、建築物の外装材として軽量気泡コンクリートパネル（ＡＬＣパネル）が用いられている。軽量気泡コンクリートパネルは、建築物の外表面に取り付けられ、これにより、建築物の耐久性、防火性、遮音性等を向上させている。このような外装材のうち、建築物の角部の外表面に取り付けられる外装材として、軽量気泡コンクリートパネルを略Ｌ字状に形成したコーナーパネルが知られている。
【０００３】
このようなコーナーパネルとして、２枚のＡＬＣパネルをＬ字状に組み立てることにより構成されるＡＬＣコーナーパネルが知られている。このＡＬＣコーナーパネルは、２枚のＡＬＣパネルから構成されるため、工場における成形作業を容易に行うことができる（例えば、特許文献１参照）。
【先行技術文献】
【特許文献】
【０００４】
【特許文献１】特開２０１１−１４９２３２号公報
【発明の概要】
【発明が解決しようとする課題】
【０００５】
しかるに、上記特許文献１に記載のＡＬＣコーナーパネルは、軽量気泡コンクリートから形成されるため、サイディングパネルから形成されるコーナーパネルと比較して剛直である。そのため、地震が発生した際等、ＡＬＣコーナーパネルに応力が発生する場合に、その応力がＡＬＣコーナーパネルの一部に集中すると、ＡＬＣコーナーパネルにひび割れ等が生じ、その耐久性が低下するおそれがある。
【０００６】
そこで、本発明の目的は、軽量気泡コンクリートから形成しつつ、その耐久性を向上させることができるコーナーパネルおよびそのコーナーパネルを作製するためのコーナーパネルユニット、ならびに、それらの製造方法を提供することにある。
【課題を解決するための手段】
【０００７】
（１）本発明のコーナーパネルは、複数のコーナーパネルユニットからなるコーナーパネルであって、各コーナーパネルユニットは、２つの平板パネルを備える。各平板パネルは、軽量気泡コンクリートから、一方向に長い略矩形状に形成されている。各コーナーパネルユニットでは、一方の平板パネルと他方の平板パネルとが、それらの一方向と直交する直交方向の側端面が接合されることにより、角度をなすように配置されている。コーナーパネルは、複数のコーナーパネルユニットが、一方向に連結されてなる。
【０００８】
このような構成によれば、複数のコーナーパネルユニットが一方向に連結されることにより、コーナーパネルが形成される。また、各コーナーパネルユニットは、２つの平板パネルを接合することによって形成される。
【０００９】
そのため、地震が発生した際等、コーナーパネルに応力がかかる場合には、その応力をコーナーパネルユニットとコーナーパネルユニットとの連結部分、および、２つの平板パネルの接合部分によって分散させることができる。
【００１０】
その結果、コーナーパネルを軽量気泡コンクリートから形成しつつ、発生する応力がコーナーパネルの一部に集中することを抑制でき、その耐久性を向上できる。
【００１１】
また、コーナーパネルは、複数のコーナーパネルユニットで構成されるため、建築物に歪みや傾きが発生しても、各コーナーパネルユニットを建築物の外表面に沿わせた状態を保つことができる。
【００１２】
その結果、建築物とコーナーパネルとの密着性を向上できる。
（２）また、各平板パネルは、一方向の長さが、５９０ｍｍ〜６１０ｍｍであってもよい。
【００１３】
このような構成によれば、一方向の長さが比較的短いコーナーパネルユニットを形成できる。
【００１４】
そして、複数のコーナーパネルユニットを連結することにより、所望の長さのコーナーパネルを形成できる。
【００１５】
また、このようなコーナーパネルは、コーナーパネルユニットの一方向の長さが比較的短いので、コーナーパネルに応力がかかっても、その応力を柔軟に分散させることができる。
（３）また、平板パネルは、一方向の端部および一方向と反対側の端部において、目地止材を充填するための段差部を備えてもよい。一方向において互いに隣接するコーナーパネルユニットは、一方のコーナーパネルユニットの段差部と、他方のコーナーパネルユニットの段差部とに跨って、目地止材が充填されることにより連結されてもよい。
【００１６】
このような構成によれば、コーナーパネルユニットを一方向に連結することにより、段差部を隣接させて、目地止材を充填するための領域を十分に確保できる。
【００１７】
また、一方のコーナーパネルユニットの段差部と、他方のコーナーパネルユニットの段差部とに跨って、目地止材が充填される。
【００１８】
そのため、コーナーパネルユニットの連結部分を目地止材により確実に被覆できる。
（４）また、本発明のコーナーパネルユニットは、コーナーパネルを作製するためのコーナーパネルユニットであって、２つの平板パネルを備える。各平板パネルは、軽量気泡コンクリートから、一方向に長い略矩形状に形成される。一方の平板パネルと他方の平板パネルとが、それらの一方向と直交する直交方向の側端面が接合されることにより、角度をなすように配置されている。各平板パネルは、一方向の長さが、５９０ｍｍ〜６１０ｍｍである。
【００１９】
このような構成によれば、一方向の長さが比較的短いコーナーパネルユニットを形成できる。
【００２０】
そして、複数のコーナーパネルユニットを一方向に連結すれば、所望の長さのコーナーパネルを形成できる。
【００２１】
また、コーナーパネルを複数のコーナーパネルユニットにより形成した場合において、地震が発生した際等、コーナーパネルに応力がかかる場合には、その応力をコーナーパネルユニットとコーナーパネルユニットとの連結部分、および、２つの平板パネルの接合部分によって分散させることができる。
【００２２】
とりわけ、コーナーパネルユニットの一方向の長さが比較的短いので、コーナーパネルに応力がかかっても、その応力を柔軟に分散させることができる。
【００２３】
その結果、コーナーパネルユニットおよびコーナーパネルを軽量気泡コンクリートから形成しつつ、発生する応力がコーナーパネルユニットおよびコーナーパネルの一部に集中することを抑制でき、その耐久性を向上できる。
（５）また、本発明のコーナーパネルユニットの製造方法は、建築現場から、余剰となった５９０ｍｍ〜６１０ｍｍの長さを有する軽量気泡コンクリートパネルを回収する工程と、軽量気泡コンクリートパネルを、縦方向の長さ５９０ｍｍ〜６１０ｍｍ、横方向の長さ９０ｍｍ〜１５０ｍｍに切出して、平板パネルを作製する工程と、作製した平板パネルを２つ用意する工程と、一方の平板パネルと他方の平板パネルとを、角度をなすように、それらの横方向の側端面を接合してコーナーパネルユニットを作製する工程と、を含む。
【００２４】
このような方法によれば、建築現場から、余剰となった５９０ｍｍ〜６１０ｍｍの長さを有する軽量気泡コンクリートパネルを回収する。そして、軽量気泡コンクリートパネルを、縦５９０ｍｍ〜６１０ｍｍ、横９０ｍｍ〜１５０ｍｍに切出して、平板パネルを作製し、その平板パネルからコーナーパネルユニットを作製する。
【００２５】
そのため、環境負荷を軽減しつつ、低コストでコーナーパネルユニットを形成できる。
【００２６】
すなわち、通常、建築現場において廃材が発生する場合には、その廃材を産業廃棄物として処理する必要があり、処理作業および処理コストが発生する。
【００２７】
しかるに、本発明のコーナーパネルユニットの製造方法は、余剰となった軽量気泡コンクリートパネルを利用するため、建築現場において発生する産業廃棄物を減らすことができる。
【００２８】
その結果、環境負荷を軽減しつつ、低コストでコーナーパネルユニットを形成できる。
【００２９】
また、縦方向の長さが比較的短く、横方向の長さが適切なサイズのコーナーパネルユニットを形成できる。
【００３０】
そして、複数のコーナーパネルユニットを縦方向に連結すれば、所望の長さのコーナーパネルを形成できる。
【００３１】
また、コーナーパネルユニットは、２つの平板パネルを接合することによって形成される。
【００３２】
そのため、コーナーパネルユニットを建築物に取り付けた状態において、地震が発生した際等、コーナーパネルユニットに応力がかかる場合には、その応力を２つの平板パネルの接合部によって分散させることができる。
【００３３】
その結果、コーナーパネルユニットを軽量気泡コンクリートから形成しつつ、発生する応力がコーナーパネルユニットの一部に集中することを抑制でき、その耐久性を向上できる。
（６）また、本発明のコーナーパネルの製造方法は、コーナーパネルユニットを、２つ以上用意する工程と、２つ以上のコーナーパネルユニットを、鉛直方向に連結する工程と、を含む。
【００３４】
このような方法によれば、２つ以上のコーナーパネルユニットが縦方向に連結されることにより、コーナーパネルが形成される。
【００３５】
そのため、地震が発生した際等、コーナーパネルに応力がかかる場合には、その応力をコーナーパネルユニットとコーナーパネルユニットとの連結部分によって分散させることができる。
【００３６】
とりわけ、コーナーパネルユニットの縦方向の長さが比較的短いので、コーナーパネルに応力がかかっても、その応力を柔軟に分散させることができる。
【００３７】
その結果、コーナーパネルを軽量気泡コンクリートから形成しつつ、発生する応力がコーナーパネルの一部に集中することを抑制でき、その耐久性を向上できる。
【００３８】
また、コーナーパネルは、２つ以上のコーナーパネルユニットで構成されるため、建築物に歪みや傾きが発生しても、各コーナーパネルユニットを建築物の外表面に沿わせた状態を保つことができる。
【００３９】
その結果、建築物とコーナーパネルとの密着性を向上できる。
【発明の効果】
【００４０】
本発明のコーナーパネル、コーナーパネルユニット、コーナーパネルの製造方法、および、コーナーパネルユニットの製造方法によれば、コーナーパネルまたはコーナーパネルユニットを軽量気泡コンクリートから形成しつつ、その耐久性を向上させることができる。
【図面の簡単な説明】
【００４１】
【図１】図１Ａは、本発明のコーナーパネルの一実施形態を示す斜視図である。図１Ｂは、図１Ａに示すコーナーパネルのＡ−Ａ線に沿う断面図である。
【図２】図２Ａは、図１Ａに示すコーナーパネルのコーナーパネルユニットの斜視図である。図２Ｂは、図２Ａに示すコーナーパネルユニットの平面図である。
【図３】図３Ａおよび図３Ｂは、図２Ａに示すコーナーパネルユニットの製造方法を説明するための工程図であって、図３Ａは、ＡＬＣパネルを用意する工程を示す平面図である。図３Ｂは、図３Ａに示すＡＬＣパネルの側面図である。
【図４】図４Ａおよび図４Ｂは、図３Ａおよび図３Ｂに引き続き、コーナーパネルユニットの製造方法を説明するための工程図であって、図４Ａは、余剰ＡＬＣパネルを回収する工程を示す平面図である。図４Ｂは、図４Ａに示す余剰ＡＬＣパネルの側面図である。
【図５】図５Ａおよび図５Ｂは、図４Ａおよび図４Ｂに引き続き、コーナーパネルユニットの製造方法を説明するための工程図であって、図５Ａは、余剰ＡＬＣパネルから平板パネルを切り出す工程を示す平面図である。図５Ｂは、図５Ａに示す余剰ＡＬＣパネルの側面図である。
【図６】図６Ａおよび図６Ｂは、図５Ａおよび図５Ｂに引き続き、コーナーパネルユニットの製造方法を説明するための工程図であって、図６Ａは、平板パネルを用意する工程示す平面図である。図６Ｂは、図６Ａに示す平板パネルの側面図である。
【発明を実施するための形態】
【００４２】
１．コーナーパネル
図１Ａおよび図１Ｂに示すように、本発明の一実施形態としてのコーナーパネル１は、建築物の外装材として用いられる長手の部材であって、詳しくは、建築物の角部の外表面に取り付ける部材として用いられる。コーナーパネル１は、長手方向と直交する方向の断面が略Ｌ字形状に形成されており、複数のコーナーパネルユニット２を備えている。
【００４３】
なお、以下の説明において、コーナーパネル１およびコーナーパネルユニット２の方向に言及するときには、コーナーパネル１の長手方向を上下方向に沿わせた状態、すなわち、コーナーパネル１が建築物に取り付けられた状態を基準とする。すなわち、図１Ａの紙面上方が上方であり、紙面下方が下方である。また、コーナーパネル１が建築物に取り付けられた状態において、外表面となる側を外側とし、建築物との接触面となる側を内側とする、すなわち、図１Ａの紙面手前側が外側であり、紙面奥側が内側である。また、図１Ａの右方が外側であり、左方が内側である。
【００４４】
具体的には、コーナーパネル１は、建築物に取り付けられた状態においては、複数（３つ）のコーナーパネルユニット２が上下方向に連結されることにより構成されている。また、後述するように、コーナーパネルユニット２とコーナーパネルユニット２との連結部分には、目地止材３が充填されている。
２．コーナーパネルユニット
図２Ａおよび図２Ｂに示すように、コーナーパネルユニット２は、上下方向に長手の部材であって、長手方向と直交する方向の断面（水平方向の断面）が略Ｌ字形状に形成されている。コーナーパネルユニット２は、２つの平板パネル４を備えている。
【００４５】
平板パネル４は、軽量気泡コンクリート（ＡＬＣ）から形成されおり、厚み方向から見た形状が、上下方向に長い略矩形状の平板状に形成されている。平板パネル４では、厚み方向一方側の表面が意匠面であり、厚み方向他方側の表面が建築物の外表面と接触する接触面である。平板パネル４の厚み方向一方側の表面には、シボ加工や、凹凸模様の仕上げ等の表面加工がなされている。平板パネル４は、上下方向両端部に配置される段差部の一例としての平板段差部５を有している。
【００４６】
平板段差部５は、平板パネル４の上下方向両端部において、平板パネル４の厚み方向に窪んでいる。詳しくは、平板段差部５は、平板パネル４の上下方向両端部において、平板パネル４の幅方向全域にわたり、かつ、平板パネル４の厚みの略半分まで、外側から内側に向かって窪んでいる。
【００４７】
これにより、平板パネル４の上下方向両端部には、平板パネル４の幅方向全域の内側部分から上下方向の外方に向かって突出する平板凸部６が形成されている。
【００４８】
図２Ｂに示すように、平板パネル４の幅方向一方側には、接合面７が配置されている。
【００４９】
接合面７は、平板パネル４の幅方向一方側の側端面であって、上下方向に延びている。接合面７は、平板パネル４の厚み方向に対して傾斜している。詳しくは、接合面７は、厚み方向に対する角度が、３０°〜６０°となるように、具体的には、略４５°となるように傾斜している。
【００５０】
そして、２つの平板パネル４のそれぞれが、意匠面が外側となり、接触面が内側となるように互いに接合されることで、平面視略Ｌ字形状のコーナーパネルユニット２が形成されている。具体的には、２つの平板パネル４は、それぞれの接合面７が対向するように、後述するシーリング材８を介して接合されている。
【００５１】
詳しくは、２つの平板パネル４の間のなす角度が、６０°〜１２０°であり、具体的には、略直角であり、上下方向に長手である平面視略Ｌ字形状のコーナーパネルユニット２が形成される。
【００５２】
これにより、２つの平板段差部５が連続することにより、コーナーパネルユニット２の上下方向両端部において、平面視略Ｌ字形状に形成され、コーナーパネルユニット２の厚み方向内側に窪むコーナー段差部１０が形成される。同様に、２つの平板凸部６が連続することにより、コーナーパネルユニット２の上下方向両端部において、平面視略Ｌ字形状に形成され、コーナーパネルユニット２の上下方向両端部から上下方向の外方に向かって突出するコーナー突出部１１が形成される。
３．コーナーパネルユニットの製造方法
次に、このコーナーパネルユニット２の製造方法について、図３Ａ〜図６Ｂを参照して説明する。
【００５３】
図３Ａに示すように、建築物の外装工事では、まず、建築現場において、軽量気泡コンクリートパネルの一例としての基パネル２０を用意する。
【００５４】
基パネル２０は、建築物の外装材として用いられる建築資材であって、軽量気泡コンクリートから形成される。基パネル２０は、縦方向の長さＬ１が５９０ｍｍ〜６１０ｍｍであり、横方向の長さＬ２が１８００ｍｍ〜２０２０ｍｍであり、厚みＷ１が３０ｍｍ〜５５ｍｍである。具体的には、縦方向の長さＬ１が６０６ｍｍであり、横方向の長さＬ２が１８２０ｍｍであり、厚みＷ１が３７ｍｍである。基パネル２０は、建築物に応じて、所定のサイズの外装材が切り出されて建築物の外表面に取り付けられ、または、当初のサイズのまま建築物の外表面に取り付けられる。
【００５５】
基パネル２０では、厚み方向一方側の表面が意匠面であり、厚み方向他方側の表面が建築物の外表面と接触する接触面である。基パネル２０の厚み方向一方側の表面には、シボ加工や、凹凸模様の仕上げ等の表面加工がなされている。基パネル２０は、外周縁部全域に配置される基段差部２１を有している。
【００５６】
基段差部２１は、平板パネル４の縦方向両端部および横方向両端部において、基パネル２０の厚み方向に窪んでいる。詳しくは、基段差部２１は、基パネル２０の縦方向両端部および横方向両端部において、基パネル２０の縦方向長さおよび横方向長さの全域にわたり、かつ、基パネル２０の厚みの略半分まで、厚み方向一方側から他方側に向かって窪んでいる。すなわち、基段差部２１は、基パネル２０の厚み方向一方側から見た形状が略矩形枠形状に形成されている。
【００５７】
これにより、基パネル２０の縦方向両端部および横方向両端部には、基パネル２０の縦方向全域の厚み方向他方側部分、および、横方向全域の厚み方向他方側部分から横方向の外方、および、縦方向の外方に向かって突出する基凸部２２が形成されている。すなわち、基凸部２２は、基パネル２０の厚み方向一方側から見た形状が略矩形枠形状に形成されている。
【００５８】
基段差部２１は、厚み方向の長さが、基パネル２０の厚みの略１／３〜２／３であり、具体的には、基パネル２０の厚みの略半分である。すなわち、基段差部２１の厚み方向の長さは、１５ｍｍ〜２８ｍｍであり、具体的には、１９ｍｍである。
【００５９】
また、基段差部２１は、縦方向および横方向の長さが、１ｍｍ〜２０ｍｍである。
【００６０】
基凸部２２の厚み方向の長さは、基パネル２０の厚み方向の長さから基段差部２１の長さを除いた長さである。また、基凸部２２の縦方向および横方向の長さは、基段差部２１は、縦方向および横方向の長さと同一である。
【００６１】
そして、図４Ａおよび図４Ｂに示すように、基パネル２０から、所定のサイズの外装材２５が切り出される。外装材２５は、図示されないが、建築物の外表面に取り付けられる。基パネル２０から外装材２５が切り出されると、基パネル２０の残存部分が余剰パネル３０となる。
【００６２】
余剰パネル３０は、縦方向の長さが、基パネル２０の縦方向の長さＬ１であり、横方向の長さＬ３が、９０ｍｍ以上であり、厚みが基パネル２０の厚みＷ１である。なお、余剰パネル３０の横方向の長さＬ３は、後述するように、平板パネル４を２つ切り出す場合には、１８０ｍｍ以上である。また、図４Ａでは、余剰パネル３０は、厚み方向に見たときの形状が略長方形状であるが、上記した長さを有していればよく、厚み方向に見たときの形状が略台形状であってもよい。
【００６３】
これにより、余剰パネル３０は、少なくとも縦方向の両端部において基段差部２１（基凸部２２）が残った状態となっている。
【００６４】
コーナーパネルユニット２の製造方法では、まず、建築現場において、余剰パネル３０を回収する。すなわち、コーナーパネルユニット２の製造方法では、通常、産業廃棄物として処理される余剰パネル３０を回収して再利用する。
【００６５】
そして、図５Ａおよび図５Ｂに示すように、余剰パネル３０に対して、複数の切込みを入れて平板パネル２を切り出す。
【００６６】
詳しくは、余剰パネル３０に複数（３つ）の縦切込み４０を入れる。各縦切込み４０は、余剰パネル３０を縦方向および厚み方向に沿って切断している。横方向における各縦切込み４０の間の長さＬ４は、９０ｍｍ〜１５０ｍｍである。横方向における外側の２つの縦切込み４０は、余剰パネル３０の両端縁から所定長さだけ内方に配置されている。
【００６７】
そして、余剰パネル３０に２つの傾斜切込み４１を入れる。各傾斜切込み４１は、余剰パネル３０を、縦方向に沿って切断し、かつ、厚み方向に対して所定角度傾斜して切断している。
【００６８】
詳しくは、図５Ｂに示すように、縦方向に見たときに、各傾斜切込み４１は、横方向における中央の縦切込み４０の厚み方向一方側の端縁から、厚み方向他方に向かうに従って横方向外方に向かうように傾斜している。各傾斜切込み４１の厚み方向に対する角度は、３０°〜６０°であり、具体的には、略４５°である。
【００６９】
そして、余剰パネル３０に対して各縦切込み４０および各傾斜切込み４１を入れると、図６Ａおよび図６Ｂに示すように、２つの平板パネル２が切り出される。
【００７０】
平板パネル２は、縦方向の長さが、余剰パネル３０（基パネル２０）の縦方向の長さＬ１であり、横方向の長さＬ４が、９０ｍｍ〜１５０ｍｍであり、厚みが余剰パネル３０（基パネル２０）の厚みＷ１である。
【００７１】
また、平板パネル２では、図５Ｂに示すように、傾斜切込み４１によって切断された部分、すなわち、横方向の内側の側端面が接合面７として形成される。さらに、図６Ａに示すように、基段差部２１であった部分が平板段差部５として形成され、基凸部２２であった部分が平板凸部６として形成される。
【００７２】
このように、２つの平板パネル４を用意した後、図２Ａおよび図２Ｂに示すように、２つの平板パネル４を、それぞれの接合面７が対向するようにシーリング材８を介して接合する。シーリング材８は、例えば、ウレタンシーリング材である。
【００７３】
これによって、コーナーパネルユニット２が形成される。
４．コーナーパネルの製造方法
コーナーパネル１の製造方法では、このようにして製造したコーナーパネルユニット２を、図１Ａおよび図１Ｂに示すように、縦方向に連結させる。
【００７４】
詳しくは、コーナーパネルユニット２を複数（３つ）用意する。そして、１つのコーナーパネルユニット２の縦方向一端が、もう１つのコーナーパネルユニット２の縦方向他端と接触するようにして、２つのコーナーパネルユニット２を縦方向に隣接させる。
【００７５】
このとき、一方のコーナーパネルユニット２のコーナー突出部１１の一端と、他方のコーナーパネルユニット２のコーナー突出部１１の他端とが付き合わされる。そうすると、一方のコーナーパネルユニット２のコーナー段差部１０と他方のコーナーパネルユニット２のコーナー段差部１０とが縦方向に連続し、それら２つのコーナー段差部１０が凹溝を形成する。
【００７６】
そして、縦方向において連続するコーナー段差部１０（凹溝）に、目地止材３が跨るように充填される。目地止材３の外側表面は、コーナーパネルユニット２の外側表面と面一に形成される。
【００７７】
目地止材３は、例えば、ウレタンシーリング材である。
【００７８】
その後は、上記と同様に、コーナーパネルユニット２を、縦方向に連結しているコーナーパネルユニット２の一端または他端に接触するようにして、縦方向に隣接させる。
【００７９】
そして、縦方向において連続するコーナー段差部１０に目地止材３を充填すれば、コーナーパネル１が形成される。
【００８０】
このようにして製造したコーナーパネル１は、再度、建築現場に搬入され、内側面が建築物の角部に沿うようにして、建築物の外表面に取り付けられる。
５．作用効果
（１）このコーナーパネル１およびコーナーパネル１の製造方法によれば、図１Ａに示すように、複数のコーナーパネルユニット２が縦方向に連結されることにより、コーナーパネル１が形成される。また、各コーナーパネルユニット２は、２つの平板パネル４を接合することによって形成される。
【００８１】
そのため、地震が発生した際等、コーナーパネル１に応力がかかる場合には、その応力をコーナーパネルユニット２とコーナーパネルユニット２との連結部分、および、２つの平板パネル４の接合部分によって分散させることができる。
【００８２】
その結果、コーナーパネル１を軽量気泡コンクリートから形成しつつ、発生する応力がコーナーパネル１の一部に集中することを抑制でき、その耐久性を向上できる。
【００８３】
また、コーナーパネル１は、複数のコーナーパネルユニット２で構成されるため、建築物に歪みや傾きが発生しても、各コーナーパネルユニット２を建築物の外表面に沿わせた状態を保つことができる。
【００８４】
その結果、建築物とコーナーパネル１との密着性を向上できる。
（２）また、従来のＡＬＣコーナーパネル（特許文献１に記載のＡＬＣコーナーパネル）は、長さ１８２０ｍｍ、幅６０６ｍｍ、厚さ３７ｍｍのＡＬＣパネルから、長さ１８２０ｍｍ、幅２００ｍｍの２枚のパネルを切り出し、この２枚のパネルによって形成される。
【００８５】
そのため、従来のＡＬＣコーナーパネルでは、長手方向の長さは、１８２０ｍｍとなる。
【００８６】
一方、このコーナーパネル１およびコーナーパネル１の製造方法によれば、図６Ａに示すように、平板パネル４の縦方向の長さＬ１は、５９０ｍｍ〜６１０ｍｍである。
【００８７】
そのため、縦方向の長さが比較的短いコーナーパネルユニット２を形成できる。
【００８８】
そして、複数のコーナーパネルユニット２を縦方向に連結することにより、所望の長さのコーナーパネル１を形成できる。
【００８９】
また、コーナーパネル１では、コーナーパネルユニット２の縦方向の長さが比較的短いので、コーナーパネル１に応力がかかっても、その応力を柔軟に分散させることができる。
（３）また、このコーナーパネル１およびコーナーパネル１の製造方法によれば、図２Ａに示すように、コーナーパネルユニット２は、長手方向両端部において、コーナーパネルユニット２の厚み方向内側に窪むコーナー段差部１０を備えている。そして、図１Ａに示すように、長手方向（縦方向）において互いに隣接するコーナーパネルユニット２は、一方のコーナーパネルユニット２のコーナー段差部１０と、他方のコーナーパネルユニット２のコーナー段差部１０とに跨って、目地止材３が充填されることにより連結されている。
【００９０】
そのため、コーナーパネルユニット２を長手方向（縦方向）に連結することにより、コーナー段差部１０を隣接させて、目地止材３を充填するための領域を十分に確保できる。
【００９１】
また、一方のコーナーパネルユニット２のコーナー段差部１０と、他方のコーナーパネルユニット２のコーナー段差部１０とに跨って、目地止材３が充填される。
【００９２】
そのため、コーナーパネルユニット２の連結部分をコーナーパネルユニット２により確実に被覆できる。
（４）また、このコーナーパネル１およびコーナーパネル１の製造方法によれば、図５Ａに示すように、建築現場から、縦方向の長さＬ１が５９０ｍｍ〜６１０ｍｍである余剰パネル３０を回収する。そして、余剰パネル３０から、縦５９０ｍｍ〜６１０ｍｍ、横９０ｍｍ〜１５０ｍｍの平板パネル４を切り出し、その平板パネル４からコーナーパネルユニット２を作製する。
【００９３】
そのため、環境負荷を軽減しつつ、低コストでコーナーパネルユニット２を形成できる。
【００９４】
すなわち、通常、建築現場において廃材が発生する場合には、その廃材を産業廃棄物として処理する必要があり、処理作業および処理コストが発生する。
【００９５】
しかるに、このコーナーパネル１およびコーナーパネル１の製造方法は、余剰パネル３０を再利用するため、建築現場において発生する産業廃棄物を減らすことができる。
【００９６】
その結果、環境負荷を軽減しつつ、低コストでコーナーパネルユニット２を形成できる。
【００９７】
なお、上記実施形態においては、コーナーパネル１を建築物の角部に取り付けるとしたが、コーナーパネル１は、適宜、建築物の他の部分にも取り付けることができる。例えば、２つのコーナーパネル１を長手方向と直交する方向の断面が略コ字形状となるように組み合わせて、建築物の柱に取り付けてもよい。
【符号の説明】
【００９８】
１      コーナーパネル
２      コーナーパネルユニット
３      目地止材
４      平板パネル
５      平板段差部
７      接合面
１０    コーナー段差部
３０    余剰パネル
【図１】
2016023442.tif 000003
【図２】
2016023442.tif 000004
【図３】
2016023442.tif 000005
【図４】
2016023442.tif 000006
【図５】
2016023442.tif 000007
【図６】
2016023442.tif 000008